(57)【要約】【課題】クロストークによる読み出し信号のノイズが低減するように改善されたサスペンショントレース及びこれを備えたヘッドジンバルアセンブリを提供する。また、クロストークによる磁気ヘッドの損傷または性能低下を防止できるように改善されたサスペンショントレース及びこれを備えたヘッドジンバルアセンブリを提供する。【解決手段】接地層と、接地層上に積層形成された誘電体からなるベース層と、ベース層上に積層形成された導電体からなり、互いに短絡されないように延びた一対のリードトレース及び一対のライトトレースを含むトレースと、ベース層及びトレース上に積層形成された誘電体からなり、トレースを密封するカバー層とを備え、カバー層は、リードトレースを密封するリードカバー層と、リードカバー層から分離されて存在し、ライトトレースを密封するライトカバー層とを備えるサスペンションインターコネクト。が提供される。【選択図】図４
2009187650.tif 000002
【特許請求の範囲】
【請求項１】
接地層と、
前記接地層上に積層形成された誘電体からなるベース層と、
前記ベース層上に積層形成された導電体からなり、互いに短絡されないように延びた一対のリードトレース及び一対のライトトレースを含むトレースと、
前記ベース層及び前記トレース上に積層形成された誘電体からなり、前記トレースを密封するカバー層と、
を備え、
前記カバー層は、前記リードトレースを密封するリードカバー層と、前記リードカバー層から分離されて存在し、前記ライトトレースを密封するライトカバー層と、を備える
ことを特徴とするサスペンションインターコネクト。
【請求項２】
前記ベース層上に、前記リードトレースと前記ライトトレースとの間に積層形成され、導電体からなる追加トレースを少なくとも一つさらに備え、
前記カバー層は、前記リードカバー層及びライトカバー層からそれぞれ分離されて存在し、前記追加トレースを密封する追加カバー層を少なくとも一つさらに備えることを特徴とする請求項１に記載のサスペンションインターコネクト。
【請求項３】
前記追加トレースは、基準電位であるグラウンドトレース、ハードディスクドライブのヘッドスライダーの浮上高を微細調整する駆動信号を伝達するＦＯＤトレース、及び、前記ヘッドスライダーのトラック追従を微細調整する駆動信号を伝達するＤＳＡトレースのうち少なくとも一つを備える、
ことを特徴とする請求項２に記載のサスペンションインターコネクト。
【請求項４】
前記リードトレースと前記ライトトレースとの間のベース層上に積層形成され、導電体からなる追加トレースを少なくとも一つさらに備え、
前記ライトカバー層は、さらに、前記追加トレースを密封するように拡張されていることを特徴とする請求項１に記載のサスペンションインターコネクト。
【請求項５】
前記追加トレースは、基準電位であるグラウンドトレース、ハードディスクドライブのヘッドスライダーの浮上高を微細調整する駆動信号を伝達するＦＯＤトレース、及び、前記ヘッドスライダーのトラック追従を微細調整する駆動信号を伝達するＤＳＡトレースのうち少なくとも一つを備えることを特徴とする請求項４に記載のサスペンションインターコネクト。
【請求項６】
前記接地層は、金属からなることを特徴とする請求項１〜５のいずれかに記載のサスペンションインターコネクト。
【請求項７】
前記ベース層とカバー層とを構成する誘電体は、ポリイミドであることを特徴とする請求項１〜６のいずれかに記載のサスペンションインターコネクト。
【請求項８】
サスペンションと、
前記サスペンションに付着支持されるヘッドスライダーと、
サスペンションインターコネクトと、
を備え、
前記サスペンションインターコネクトは、請求項１〜７のいずれかに記載のサスペンションインターコネクトであり、前記ヘッドスライダーに連結されて信号の伝達をおこなうことを特徴とするヘッドジンバルアセンブリ。
【発明の詳細な説明】
【技術分野】
【０００１】
本発明は、ハードディスクドライブ（ＨＤＤ、Ｈａｒｄ  Ｄｉｓｋ  Ｄｒｉｖｅ）に係り、ＨＤＤのヘッドスライダーと主回路基板間の信号交換を媒介するサスペンションインターコネクト及びこれを備えたヘッドジンバルアセンブリ（ＨＧＡ、Ｈｅａｄ  Ｇｉｍｂａｌ  Ａｓｓｅｍｂｌｙ）に関する。
【背景技術】
【０００２】
ＨＤＤは、コンピュータ、ＭＰ３プレーヤー、携帯電話などに使われる補助記憶装置の一例であって、データの記録／再生媒体であるヘッドスライダーによりデータ記録媒体であるディスクに保存されたデータを再生するか、ディスクに新たなデータを記録する装置である。ＨＤＤの作動中に前記ヘッドスライダーは、前記ディスクで一定間隔ほど浮き上がったフローティング状態を維持し、前記ヘッドスライダーに搭載された磁気ヘッドが前記ディスクに保存されたデータを読み込んで再生するか、前記ディスクに新たなデータを記録する機能を行う。
【０００３】
前記磁気ヘッドが読み込んだディスクに記録されたデータは電気的信号に変換されて、前記ヘッドスライダーでＦＰＣ（Ｆｌｅｘｉｂｌｅ  Ｐｒｉｎｔｅｄ  Ｃｉｒｃｕｉｔ）を通じてＨＤＤの主回路基板に伝達される。また、ディスクに記録されるデータに対応する電気的信号は、これと逆に前記主回路基板から前記ＦＰＣを通じて前記ヘッドスライダーに伝えられる。以下で、説明の便宜のために前者の電気的信号を「読み出し（ｒｅａｄ）信号」と称し、後者の電気的信号を「書き込み（ｗｒｉｔｅ）信号」と称する。
【０００４】
前記ヘッドスライダーとＦＰＣとの間では、サスペンションインターコネクトを通じて読み出し信号と書き込み信号とが伝えられる。図１は、従来の通例的なサスペンションインターコネクトを示す断面図である。
【０００５】
図１を参照すれば、従来の通例的なサスペンションインターコネクト１０は、接地層１１と、前記接地層１１上に形成された、誘電体からなるベース層１３と、前記ベース層１３上に形成された、導電体からなる複数のトレース２１ａ、２１ｂ、２３ａ、２３ｂ、２５、２６と、前記トレースを密封するための、誘電体からなるカバー層１５とを備える。
【０００６】
前記トレースには、読み出し信号伝達のための一対のリードトレース２１ａ、２１ｂ、書き込み信号伝達のための一対のライトトレース２３ａ、２３ｂ、基準電位で前記接地層１１と連結されるグラウンドトレース２５、ヘッドスライダーの浮上高を微細調整するためのＦＯＤ（Ｆｌｙｉｎｇ  Ｏｎ  Ｄｅｍａｎｄ）手段の駆動信号を伝達するためのＦＯＤトレース２６などが含まれる。
【発明の概要】
【発明が解決しようとする課題】
【０００７】
一方、最近にはＨＤＤの小型化、大容量化の趨勢にある。これにより、ディスクに記録されたデータを再生するための手段、例えば、磁気ヘッドのＭＲセンサー（Ｍａｇｎｅｔｒｏｒｅｓｉｓｔａｎｃｅ  ｓｅｎｓｏｒ）は、以前よりさらに微細な磁気信号も感知できるように敏感性が向上したが、これによって非正常的刺激による損傷または性能低下の可能性も増大した。また、前記書き込み信号は、以前より高周波帯域の信号を使用して信号の上昇時間が短くなった。これによって、書き込み信号による読み出し信号のクロストークにより、前記磁気ヘッドのデータ再生手段が損傷するか、あるいは性能が低下する可能性が増大している。これだけではなく、前記グラウンドトレース２５の信号（以下、「グラウンド信号」）による読み出し信号へのクロストーク、またはＦＯＤトレース２６の信号（以下、「ＦＯＤ信号」）による読み出し信号へのクロストークによっても、前記データ再生手段が損傷する可能性は存在している。
【０００８】
本発明はクロストークによる読み出し信号のノイズが低減するように改善されたサスペンショントレース及びこれを備えたＨＧＡを提供する。
【０００９】
また、クロストークによる磁気ヘッドの損傷または性能低下を防止できるように改善されたサスペンショントレース及びこれを備えたＨＧＡを提供する。
【課題を解決するための手段】
【００１０】
上記課題を解決するために、本発明のある観点によれば、接地層と、前記接地層上に積層形成された誘電体からなるベース層と、前記ベース層上に積層形成された導電体からなり、互いに短絡されないように延びた一対のリードトレース及び一対のライトトレースを含むトレースと、前記ベース層及び前記トレース上に積層形成された誘電体からなり、前記トレースを密封するカバー層とを備え、前記カバー層は、前記リードトレースを密封するリードカバー層と、前記リードカバー層から分離されて存在し、前記ライトトレースを密封するライトカバー層とを備えるサスペンションインターコネクトが提供される。
【００１１】
本発明の一実施形態によれば、前記ベース層上に、前記リードトレースと前記ライトトレースとの間に積層形成され、導電体からなる追加トレースを少なくとも一つさらに備え、前記カバー層は、前記リードカバー層及びライトカバー層からそれぞれ分離されて存在し、前記追加トレースを密封する追加カバー層を少なくとも一つさらに備える。
【００１２】
本発明の一実施形態によれば、前記リードトレースと前記ライトトレースとの間のベース層上に積層形成され、導電体からなる追加トレースを少なくとも一つさらに備え、前記ライトカバー層は、さらに、前記追加トレースを密封するように拡張される。
【００１３】
本発明の一実施形態によれば、前記追加トレースは、基準電位であるグラウンドトレース、ハードディスクドライブのヘッドスライダーの浮上高を微細調整する駆動信号を伝達するＦＯＤトレース、及び、前記ヘッドスライダーのトラック追従を微細調整する駆動信号を伝達するＤＳＡ（Ｄｕａｌ  Ｓｅｒｖｏ  Ａｃｔｕａｔｏｒ）トレースのうち少なくとも一つを備える。
【００１４】
本発明の一実施形態によれば、前記接地層は金属からなる。
【００１５】
本発明の一実施形態によれば、前記ベース層とカバー層とを構成する誘電体は、ポリイミドである。
【００１６】
上記課題を解決するために、本発明のある別の観点によれば、サスペンションと、前記サスペンションに付着支持されるヘッドスライダーと、前記サスペンションインターコネクトとを備え、前記サスペンションインターコネクトは、前記ヘッドスライダーに連結されて信号の伝達をおこなう、ヘッドジンバルアセンブリが提供される。
【発明の効果】
【００１７】
本発明のサスペンションインターコネクトは、リードトレースを密封するカバー層が他のトレースを密封するカバー層と分離されているので、従来のサスペンションインターコネクトに比べてクロストークによる読み出し信号のノイズ発生や、磁気ヘッドの損傷または性能低下を減少できる。
【図面の簡単な説明】
【００１８】
【図１】通例的なサスペンションインターコネクトを示す断面図である。
【図２】ＨＤＤの一例を示す平面図である。
【図３】本発明の一実施形態によるＨＧＡを示す底面図である。
【図４】本発明の一実施形態によるサスペンションインターコネクトを示す断面図である。
【図５】本発明の他の一実施形態によるサスペンションインターコネクトを示す断面図である。
【図６】本発明のさらに他の一実施形態によるサスペンションインターコネクトを示す断面図である。
【発明を実施するための形態】
【００１９】
以下、添付した図面を参照して本発明の望ましい実施形態について詳細に説明する。図２は、ＨＤＤの一例を示す平面図であり、図３は、本発明の一実施形態によるＨＧＡを示す底面図である。以下で、図２を参照してＨＤＤをまず説明し、本発明の一実施形態によるサスペンションインターコネクトとこれを備えたＨＧＡとを詳細に説明する。
【００２０】
図２を参照すれば、前記ＨＤＤ１００は、ベース部材１０１及びこれに結合されたカバー部材（図示せず）で形成されたハウジング内に、スピンドルモータ１０５、データ記録媒体のディスク１０７、ＨＳＡ（Ｈｅａｄ  Ｓｔａｃｋ  Ａｓｓｅｍｂｌｙ）１３０及び、ＶＣＭ（Ｖｏｉｃｅ  Ｃｏｉｌ  Ｍｏｔｏｒ）ブロック１１５を備える。前記スピンドルモータ１０５は、ディスク１０７を高速回転させるためのものであり、ベース部材１０１に固設される。前記ディスク１０７は、前記スピンドルモータ１０５に結合されて矢印方向に高速回転するものであって、このような高速回転により、ディスク１０７の表面にはディスク１０７の回転方向と同じ方向に流動する空気フローが誘導される。
【００２１】
前記ＨＳＡ１３０は、データの記録または再生を行う磁気ヘッド１６２（図３参照）が形成されたヘッドスライダー１６０を備える。前記ヘッドスライダー１６０は、ディスク１０７上の特定トラックに移動してディスク１０７上にデータを記録するか、前記ディスク１０７に記録されたデータを判読する。前記ＨＳＡ１３０は、ピボットベアリング１３４と、前記ピボットベアリング１３４を中心に回動可能なスイングアーム１３２と、前記スイングアーム１３２の先端部にスウェージングにより結合される連結板１５１と、前記連結板１５１に結合されるサスペンション１５５と、前記サスペンション１５５の先端部に搭載されるヘッドスライダー１６０とを備える。また、前記スイングアーム１３２に結合され、書き取られたボイスコイル１３８を備えるオーバーモールド１３７を備える。
【００２２】
ディスク１０７の高速回転で誘導された空気フローが、ディスク１０７の表面とヘッドスライダー１６０のディスク対向面との間を通過しつつ、前記ヘッドスライダー１６０には揚力が作用する。前記揚力と前記ヘッドスライダー１６０と（揚力が作用する前記ヘッドスライダー１６０）をディスク１０７に向かうように加圧するサスペンション１５５の弾性加圧力が平衡をなす高さで、前記ヘッドスライダー１６０は浮上状態を維持する。このような浮上状態でヘッドスライダー１６０に形成された磁気ヘッド１６２（図３参照）は、前記ディスク１０７にデータを記録するか、前記ディスク１０７に記録されたデータを再生する機能を行う。
【００２３】
具体的に、前記磁気ヘッド１６２は、ディスク１０７にデータを記録するためのライター１６４と、前記ディスク１０７に記録されたデータを再生するためのリーダ１６６とを備える。前記ライター１６４は例えば、磁極（ｍａｇｎｅｔｉｃ  ｐｏｌｅ、図示せず）とコイル（図示せず）とを備えることができ、前記リーダ１６６は例えば、ＭＲセンサーを備えることができる。
【００２４】
ＨＤＤ１００の作動が停止すれば、ヘッドスライダー１６０は、ディスク１０７を外れて前記ディスク１０７の外郭側に設けられたランプ１２５にパーキングされる。サスペンション１５５は、その末端部にエンドタップ１５７を備え、前記エンドタップ１５７がランプ１２５に接触してスライディングしつつＨＳＡ１３０及びヘッドスライダー１６０がパーキングされる。
【００２５】
前記ＨＤＤ１００はラッチ１２０を備える。前記ラッチ１２０は、ＨＳＡ１３０がランプ１２５にパーキングされた時にオーバーモールド１３７に形成されたフック１３９と干渉してＨＳＡ１３０をロッキングする。前記ランプ１２５及びラッチ１２０により、ＨＤＤ１００の作動停止時に外乱によるヘッドスライダー１６０及びディスク１０７の損傷が防止される。
【００２６】
前記ＶＣＭブロック１１５は、ベース部材１０１に固定装着され、前記オーバーモールド１３７のボイスコイル１３８は、前記ＶＣＭブロック１１５内で移動自在に挿入される。前記ＶＣＭブロック１１５は、前記ボイスコイル１３８の上側及び下側に配置されるマグネット１１６と、前記マグネット１１６を支持するヨーク１１７とを備える。前記ボイスコイル１３８と、マグネット１１６と、ヨーク１１７とは、ＨＳＡ１３０を回動させるための駆動力を提供するボイスコイルモータを構成する。前記ＨＳＡ１３０の回動はサーボ制御システムにより制御される。
【００２７】
前記ＨＳＡ１３０は、ＦＰＣ１１０に電気的に連結される。前記ＦＰＣ１１０は、ベース部材１０１の下側に配置されてＨＳＡ１３０及びスピンドルモータ１０５の駆動を制御する主回路基板（図示せず）に接続される。前記ＦＰＣ１１０は、ＨＳＡ１３０と前記主回路基板間の電気信号の交換を媒介する媒介体として機能する。参照符号１１２は、電気信号を増幅させるためのプリアンプである。
【００２８】
図３を参照すれば、サスペンションインターコネクト１７０は、ＨＳＡ１３０（図２参照）末端のヘッドスライダー１６０とＦＰＣ１１０（図２参照）間の電気信号交換の媒介体である。前記サスペンションインターコネクト１７０の一端部はヘッドスライダー１６０まで延びて電気的に連結され、他端部は、ＦＰＣ１１０の端子（図示せず）まで延びて電気的に連結される。ＨＧＡ１５０は、前記連結板１５１、サスペンション１５５、ヘッドスライダー１６０、及びサスペンションインターコネクト１７０を備える。参照番号１５２は、ＨＧＡ１５０をスイングアーム１３２の末端にスウェージングにより結合するために連結板１５１に形成されたスウェージングホール１５２である。
【００２９】
図４は、本発明の一実施形態によるサスペンションインターコネクトを示す断面図であって、図３のＡ−Ａ線の断面面である。
【００３０】
図４を参照すれば、前記サスペンションインターコネクト１７０は、接地層１７１と、前記接地層１７１上に積層形成された誘電体からなるベース層１７３と、前記ベース層１７３上に積層形成され、例えば、銅のような導電体からなり、互いに短絡されないように延びたトレース１８２ａ、１８２ｂ、１８４ａ、１８４ｂ、１８５、１８６と、前記トレースを密封するために前記ベース層１７３及び前記トレース上に積層形成されたカバー層１７５と、を備える。前記接地層１７１は、ステンレススチールまたは銅のような金属からなりうる。前記ベース層１７３とカバー層１７５はポリイミドからなり、例えば、フィルムラミネート、スピンコーティングまたは蒸着などの方法で形成できる。
【００３１】
前記トレースには、磁気ヘッド１６２（図３参照）のリーダ１６６（図３参照）から読み出し信号をプリアンプ１１２（図２参照）に伝達するための一対のリードトレース１８２ａ、１８２ｂと、前記プリアンプ１１２から書き込み信号を前記磁気ヘッド１６２のライター１６４（図３参照）に伝達するための一対のライトトレース１８４ａ、１８４ｂと、前記リードトレース１８２ａ、１８２ｂとライトトレース１８４ａ、１８４ｂとの間に設けられた追加トレースとが含まれる。前記追加トレースには例えば、基準電位の前記接地層１７１と連結されるグラウンドトレース１８５、前記ヘッドスライダー１６０（図３参照）の浮上高を微細調整するためのＦＯＤ手段（図示せず）に駆動信号を伝達するためのＦＯＤトレース１８６が含まれうる。前記ＦＯＤ手段は例えば、ヘッドスライダー１６０内部またはサスペンション１５５（図３）に設けられた発熱体を含むことができる。
【００３２】
前記カバー層１７５は、前記リードトレース１８２ａ、１８２ｂを密封するためのリードカバー層１７６と、前記ライトトレース１８４ａ、１８４ｂを密封するためのライトカバー層１７７と、前記グラウンドトレース１８５を密封するためのグラウンドカバー層１７８と、前記ＦＯＤトレース１８６を密封するためのＦＯＤカバー層１７９とを備える。前記リードカバー層１７６、ライトカバー層１７７、グラウンドカバー層１７８、及びＦＯＤカバー層１７９は連結されず、それぞれ互いに分離されている。このように分離されたカバー層１７６〜１７９は、ポリイミドフィルムを精巧に裁断して互いに離隔するようにベース層１７３上に付着するか、トレース間に隔壁を形成してポリイミドペーストをコーティングした後、前記隔壁を除去するか、トレース間に蒸着されないようにマスクを重ねた後、ポリイミドを蒸着して形成できる。
【００３３】
リードトレース１８２ａ、１８２ｂを除外したグラウンドトレース１８５またはＦＯＤトレース１８６を通じて流れる駆動信号が、リードトレース１８２ａ、１８２ｂを通じてプリアンプ１１２の入力端に影響を及ぼしてデータ再生性能を低下させるクロストーク影響力ＸＴｎｅａｒは、次の数式１で表すことができる。リードトレース１８２ａ、１８２ｂに読み出し信号が流れる時にライトトレース１８４ａ、１８４ｂには書き込み信号が流れないので、書き込み信号による読み出し信号のクロストークは考慮されない。
【００３４】
一方、リードトレース１８２ａ、１８２ｂを除外したトレース１８４ａ、１８４ｂ、１８５、１８６に流れる信号により磁気ヘッド１６２（図３参照）、具体的には、リーダ１６６に影響を与えてこれを損傷または劣化させうるクロストーク影響力ＸＴｆａｒは、次の数式２で表すことができる。
【００３５】
【数１】
2009187650.tif 000003
【００３６】
【数２】
2009187650.tif 000004
【００３７】
ここで、ＣｍＬは、クロストークによって影響を与える側（ａｇｇｒｅｓｓｏｒ）と影響を受ける側（ｖｉｃｔｉｍ）との間の単位長当たり相互キャパシタンスであり、ＬｍＬは、影響を与える側と影響を受ける側との間の単位長当たり相互インダクタンスであり、ＣＬは、単位長当たり自己キャパシタンスであり、ＬＬは単位長当たり自己インダクタンスである。また、Ｌｅｎは、影響を与える側と影響を受ける側とが並列に進む区間の長さであり、ｔＲは、信号の上昇時間であり、ｖは、信号の速度である。
【００３８】
図４に示した本発明の一実施形態によるサスペンションインターコネクト１７０は、影響を受ける側であるリードトレース１８２ａ、１８２ｂのカバー層１７６が影響を与える側である他のトレース１８４ａ、１８４ｂ、１８５、１８６のカバー層１７７、１７８、１７９と分離されているので、従来のサスペンションインターコネクト１０（図１参照）に比べてＣｍＬが小さくなる。一方、ＬｍＬ／ＬＬは従来の場合と本発明の場合とが類似した値を持ち、その他の変数は、従来の場合と本発明の場合とに差はない。したがって、本発明のサスペンションインターコネクト１７０は、従来のサスペンションインターコネクト１０に比べてクロストークによる読み出し信号のノイズ発生や、リーダ１６６（図３参照）の損傷または劣化が減少する。
【００３９】
図５は、本発明の他の一実施形態によるサスペンションインターコネクト２００を示す断面図であり、前記サスペンションインターコネクト２００は、図４のサスペンションインターコネクト１７０の代わりに図３のＨＧＡ１５０に適用できる。
【００４０】
図５を参照すれば、前記サスペンションインターコネクト２００は、図４のサスペンションインターコネクト１７０と同様に、接地層２０１と、前記接地層２０１上に積層形成されたベース層２０３と、前記ベース層２０３上に積層形成されたトレース２１２ａ、２１２ｂ、２１４ａ、２１４ｂ、２１５、２１６、２１７と、前記トレースを密封するために、前記ベース層２０３及び前記トレース上に積層形成されたカバー層２０５とを備える。前記接地層２０１、ベース層２０３、トレース２１２ａ、２１２ｂ、２１４ａ、２１４ｂ、２１５、２１６、２１７、カバー層２０５の材質やその形成方法は、図４のサスペンションインターコネクト１７０の場合と同じであるので、重なる説明を省略する。
【００４１】
図４のサスペンションインターコネクト１７０の場合と同様に、前記トレースには、一対のリードトレース２１２ａ、２１２ｂ及び一対のライトトレース２１４ａ、２１４ｂと、追加トレースとして、グラウンドトレース２１５及びＦＯＤトレース２１６が含まれる。一方、前記追加トレースには、ヘッドスライダー１６０（図３を参照）のトラック追従を微細調整するためのＤＳＡ手段に駆動信号を伝達するためのＤＳＡトレース２１７がさらに含まれうる。前記ＤＳＡ手段は、例えば、前記ヘッドスライダー１６０とこれを支持するサスペンション１５５の末端との間に介在されたマイクロアクチュエーター（図示せず）を備えることができる。
【００４２】
図４のサスペンションインターコネクト１７０の場合と同様に、前記カバー層２０５は、互いに分離されたリードカバー層２０６と、ライトカバー層２０７と、グラウンドカバー層２０８と、ＦＯＤカバー層２０９とを備える。また、前記ＤＳＡトレース２１７を密封して前記カバー層２０６〜２０９と分離されているＤＳＡカバー層２１０をさらに備える。図５のサスペンションインターコネクト２００も、リードトレース２１２ａ、２１２ｂのカバー層２０６が他のトレース２１４ａ、２１４ｂ、２１５、２１６、２１７のカバー層２０７、２０８、２０９、２１０と分離されているので、従来のサスペンションインターコネクト１０（図１参照）に比べてクロストークによる読み出し信号のノイズ発生や、リーダ１６６（図３参照）の損傷または劣化が減少できる。
【００４３】
図６は、本発明のさらに他の一実施形態によるサスペンションインターコネクトを示す断面図であり、前記サスペンションインターコネクト２２０は図４のサスペンションインターコネクト１７０の代わりに図３のＨＧＡ１５０に適用できる。
【００４４】
図６を参照すれば、前記サスペンションインターコネクト２２０は、図４のサスペンションインターコネクト１７０と同様に、接地層２２１と、前記接地層２２１上に積層形成されたベース層２２３と、前記ベース層２２３上に積層形成されたトレース２３２ａ、２３２ｂ、２３４ａ、２３４ｂ、２３５、２３６と、前記トレースを密封するために、前記ベース層２２３及び前記トレース上に積層形成されたカバー層２２５とを備える。前記接地層２２１、ベース層２２３、トレース２３２ａ、２３２ｂ、２３４ａ、２３４ｂ、２３５、２３６、カバー層２２５の材質やその形成方法は、図４のサスペンションインターコネクト１７０の場合と同じであるので、重なる説明を省略する。
【００４５】
図４のサスペンションインターコネクト１７０の場合と同様に、前記トレースには、一対のリードトレース２３２ａ、２３２ｂ及び一対のライトトレース２３４ａ、２３４ｂと、追加トレースとして、グラウンドトレース２３５及びＦＯＤトレース２３６が含まれる。
【００４６】
前記カバー層２２５は、前記リードトレース２３２ａ、２３２ｂを密封するリードカバー層２２６と、前記ライトトレース２３４ａ、２３４ｂだけではなく、追加トレース２３５、２３６も共に密封するように拡張されたライトカバー層２２７とを備える。前記リードカバー層２２６とライトカバー層２２７とは分離されている。図６のサスペンションインターコネクト２２０も、リードトレース２３２ａ、２３２ｂを密封するリードカバー層２２６が他のトレース２３４ａ、２３４ｂ、２３５、２３６を密封するライトカバー層２２７と分離されているので、従来のサスペンションインターコネクト１０（図１参照）に比べてクロストークによる読み出し信号のノイズ発生や、リーダ１６６（図３参照）の損傷または性能低下が減少できる。また、カバー層２２５が多数の部分に分離されずに二つの部分に分離されるだけであるので、図４及び図５のサスペンションインターコネクト１７０、２００の場合より容易に製造できる。
【００４７】
本発明は図面に示した実施形態を参考にして説明されたが、これは例示的なものに過ぎず、当業者ならば、これより多様な変形及び均等な他の実施形態が可能であるという点を理解できるであろう。したがって、本発明の真の保護範囲は特許請求の範囲のみによって定められねばならない。
【産業上の利用可能性】
【００４８】
本発明は、ＨＤＤ関連の技術分野に好適に用いられる。
【符号の説明】
【００４９】
１００    ＨＤＤ
１０１    ベース部材
１０５    スピンドルモータ
１０７    ディスク
１１０    ＦＰＣ
１１２    プリアンプ
１１５    ＶＣＭブロック
１１６    マグネット
１１７    ヨーク
１２０    ラッチ
１２５    ランプ
１３０    ＨＳＡ
１３２    スイングアーム
１３４    ピボットベアリング
１３７    オーバーモールド
１３８    ボイスコイル
１３９    フック
１５０    ＨＧＡ
１５１    連結板
１５２    スウェージングホール
１５５    サスペンション
１５７    エンドタップ
１６０    ヘッドスライダー
１７０    サスペンションインターコネクト
１７１    接地層
１７３    ベース層
１７５    カバー層
１７６    リードカバー層
１７７    ライトカバー層
１７８    グラウンドカバー層
１７９    ＦＯＤカバー層
１８２ａ、１８２ｂ    リードトレース
１８４ａ、１８４ｂ    ライトトレース
１８５    グラウンドトレース
１８６    ＦＯＤトレース
【図１】
2009187650.tif 000005
【図２】
2009187650.tif 000006
【図３】
2009187650.tif 000007
【図４】
2009187650.tif 000008
【図５】
2009187650.tif 000009
【図６】
2009187650.tif 000010